(57)【要約】【課題】  少ない人数で安全かつ効率的に作業することのでき、かつカメラの揺れを防止して安定した撮像画像を取得できること。【解決手段】  電柱上に設置され、光ケーブルの接続や分岐のために設けられるクロージャを撮像手段によって上方から撮像することによって前記クロージャを外観点検するための光ケーブルクロージャ点検装置に対して、目盛りを付したグラスファイバ製の複数のパイプをワンタッチ式で連結することにより伸縮可能に形成され、連結することによって先端部の地上高が測定可能な測定棒と、該測定棒の下端に開閉自在に設けられ、使用時に開いて足で踏むことによって前記測定棒が地面に対して所定の角度をもって固定される折り畳み式レバーと、前記測定棒の先端部に設けられ前記撮像手段を前記測定棒に取り付ける撮像手段取付部と前記測定棒から着脱可能であって前記撮像手段からは無線によって送られた撮像画像を表示するモニタ部と、を設ける。【選択図】      図１
2011107479.tif 000002
【特許請求の範囲】
【請求項１】
電柱上に設置され、光ケーブルの接続や分岐のために設けられるクロージャを撮像手段によって上方から撮像することによって前記クロージャを外観点検するための光ケーブルクロージャ点検装置であって、
目盛りを付したグラスファイバ製の複数のパイプを連結することにより伸縮可能に形成され、連結することによって先端部の地上高が測定可能な測定棒と、
該測定棒の下端に開閉自在に設けられ、使用時に開いて足で踏むことによって前記測定棒が地面に対して所定の角度をもって固定される折り畳み式レバーと、
前記測定棒の先端部に設けられ前記撮像手段を前記測定棒に取り付ける撮像手段取付部と、
前記測定棒から着脱可能であって前記撮像手段から送られた撮像画像を表示するモニタ部と、
を備えたことを特徴とする光ケーブルクロージャ点検装置。
【請求項２】
空気注入部と空気を送るチューブと該チューブを介して送られてくる空気によって膨張又は収縮する風船状部材を有し、前記撮像手段取付部は、前記風船状部材によって前記撮像手段の角度を変えることを特徴とする請求項１に記載の光ケーブルクロージャ点検装置。
【請求項３】
折り畳み式レバーは、前記所定の角度を調整する傾斜角度調整手段を有することを特徴とする請求項１または２に記載の光ケーブルクロージャ点検装置。
【発明の詳細な説明】
【技術分野】
【０００１】
本発明は、光ケーブルの接続・分岐箇所に設置される電柱上のクロージャを外観点検するために使用される光ケーブルクロージャ点検装置に関する。
【背景技術】
【０００２】
電柱上に敷設された光ケーブルを接続したり分岐したりする箇所には、光ケーブルクロージャ（以下、単に「クロージャ」という。）を設置して光ケーブルを接続・分岐している。このクロージャは、電柱上に設置されているため、外観点検をする場合には、地上からでは側面および底面しか確認できない。クロージャ上部を含めて全体を点検するためには、電柱に昇りクロージャの上から観察する必要があった。
【０００３】
この電柱昇降には転落等の危険が伴うため熟練した作業員が作業を行う必要があった。またクロージャの取り付け位置が電柱よりもやや離れた位置に取り付けてある場合もあり、その際には高所作業車を用いた作業対応を行っているが、車両設置場所が限られる場合や車両通行止めなど、交通規制を伴い第三者に迷惑を掛けることがあった。
【０００４】
この解決手法として、たとえば、特許文献１では、伸縮可能な測定棒の先端部にカメラを装着し、手元部にはモニタを着脱可能に装着した点検装置によって、建造物の屋根や樋等の高所の点検箇所あるいは天井裏や床下等の施設内部の点検箇所を容易かつ迅速に点検する技術が開示されている。
【０００５】
特許文献２では、高圧架線や柱上機器の画像で点検や調査を行う際に作業員の感電の危険を無くし、作業性を向上させるために、絶縁性を有し伸縮自在の操作棒の上端に取付部を介してカメラが固定され、このカメラの撮像を光信号変換器によって光信号に変えて光ファイバーケーブルで手元のビデオ本体に送る充電部点検装置が提案されている。
【０００６】
また、特許文献３では、転倒防止のための足踏みサドルを備えた高所作業用操作棒が提案されている。
【先行技術文献】
【特許文献】
【０００７】
【特許文献１】特開２００１−０８６４８３号公報
【特許文献２】特開平１０−３０７１０８号公報
【特許文献３】実公平７−３３５３２号公報
【発明の概要】
【発明が解決しようとする課題】
【０００８】
しかしながら、上記の特許文献記載の技術では、クロージャの取付位置が高い場合は、クロージャの取付位置まで測定棒の撓みによって、クロージャ先端のカメラが揺れ、安定した撮像画像を取得することができなくなる。
【０００９】
本発明は、上述のかかる事情に鑑みてなされたものであり、少ない人数で安全かつ効率的に作業することのでき、かつカメラの揺れを防止して安定した撮像画像を取得することのできる光ケーブルクロージャ点検装置を提供することを目的とする。
【課題を解決するための手段】
【００１０】
上記の目的を達成するため、本発明に係る光ケーブルクロージャ点検装置（１）は、電柱上に設置され、光ケーブルの接続や分岐のために設けられるクロージャ（１１）を撮像手段（３，３ａ）によって上方から撮像することによってクロージャを外観点検するための光ケーブルクロージャ点検装置であって、目盛りを付したグラスファイバ製の複数のパイプ（２１）を連結することにより伸縮可能に形成され、連結することによって先端部の地上高が測定可能な測定棒（２）と、該測定棒の下端に開閉自在に設けられ、使用時に開いて足で踏み押さえることによって測定棒が地面に対して所定の角度をもって固定される折り畳み式レバー（６）と、測定棒の先端部に設けられ撮像手段を測定棒に取り付ける撮像手段取付部（４）と、測定棒から着脱可能であって撮像手段から送られた撮像画像を表示するモニタ部（５）と、を備えたことを特徴とする。
【００１１】
本発明では、パイプに目盛りを付して伸ばすことによって地上高を測定可能にする。また、測定棒の下端には折り畳み式レバーを設けて作業員が足で踏むことによって、地面と所定の角度を持って立つようにする。これにより、測定棒の先端部分を容易に電線（または光ケーブル）に立て掛けることができ、少なくとも地面と電線の２点で測定棒を安定化させることができ、風のある日でも作業がしやすくなる。
【００１２】
好ましくは、測定棒を伸長させたときに電線と接触する先端部のパイプ表面をゴムで覆うようにすると良い。これにより、パイプのゴム部分と電線との摩擦により測定棒を安定して支えることができる。
【００１３】
また、本発明に係る光ケーブルクロージャ点検装置は、測定棒の手元部に着脱可能に備えられた空気注入部（５１ｂ）と該空気注入部から送り込まれた空気を送るチューブ（５３）と該チューブを介して送られてくる空気によって膨張又は収縮する風船状部材（５１ａ）を有し、撮像手段取付部（４）は、風船状部材（５１ａ）によって撮像手段（３）の角度を変えることを特徴とする。
【００１４】
本発明では、空気によって風船状部材を伸縮させることによって撮像手段（３）の垂直方向の傾きを変える。電気を使わないので感電や機器の破壊の可能性を低減させることができる。
【００１５】
さらに、本発明に係る光ケーブルクロージャ点検装置では、折り畳み式レバーは、所定の角度を調整する傾斜角度調整手段（９５）を有することを特徴とする。
本発明では、測定棒と地面のなす角度を可変にするので、地面と電線で測定棒を安定化させる際にクロージャの設置位置すなわち測定棒の長さ、あるいは風の強さや向きに応じて適切な角度の調整が可能となり、作業性が向上する。
【発明の効果】
【００１６】
本発明によれば、測定棒をグラスファイバ製にすると共に、測定棒の下端に足で踏むことにより測定棒を安定化させる折り畳み式レバーを設けたので、測定棒の先端部分を容易に電線（または光ケーブル）に立て掛けることができ、作業時に少なくとも地面と電線の２点で測定棒を安定化させることができる。これにより、作業における安全性が向上し、また作業時間の短縮により工事費の大幅な削減を図ることができる。さらに、従来よりも狭いスペースおよび少ない人数で作業を行うことが可能になるので、車両通行止めの申請等が不要となり事務手続きスピードが向上する。
【図面の簡単な説明】
【００１７】
【図１】本発明の第１の実施の形態による光ケーブルクロージャ点検装置の全体構成図である。
【図２】図１のパイプ２１の継ぎ手部分の説明図である。
【図３】図１の折畳式レバー６の構成図である。（図３（ａ）正面図、図３（ｂ）平面図、図３（ｃ）側面図。）
【図４】図１の取付部４の構成図である。（図４（ａ）正面図、図４（ｂ）（ｃ）平面図。）
【図５】図１の光ケーブルクロージャ点検装置の使用方法の説明図である。
【図６】図１の光ケーブルクロージャ点検装置を用いて作業を行う風景の写真である。
【図７】図１の光ケーブルクロージャ点検装置を用いて作業を行った結果、取得した光ケーブルクロージャ上部の撮像画像の例である。
【図８】図２の他の実施例によるパイプ２１の継ぎ手部分の説明図である。
【図９】図８の締付部材５６を有するパイプ２１の収納状況を示す外形図である。
【図１０】図３の他の実施例による折畳式レバー６の構成図である。
【図１１】図４の他の実施例による取付部４の構成図である。
【図１２】本発明の第２の実施の形態による光ケーブルクロージャ点検装置の傾斜角度調整手段の構成図である。
【発明を実施するための形態】
【００１８】
以下、図面を参照しながら本発明の実施の形態を説明する。図１は、第１の実施の形態による光ケーブルクロージャ点検装置（以下、単に「点検装置」という）の全体構成図である。
【００１９】
この点検装置１は、伸縮自在に形成された絶縁性の測定棒２、カメラ３、測定棒２の先端に連結されてカメラ３を固定する取付部４、カメラ３によって撮影された画像を表示するモニタ部５、測定棒２の下端に設けられた測定棒伸縮時の折畳式レバー（横転防止手段）６を有している。カメラ３とモニタ部５はケーブル７で接続されており、モニタ部５からの指令によって、ズーム、広角などの多角的な撮影が可能になっている。
なお、無線式カメラ３ａを用いて、カメラ３ａとモニタ部５とを無線通信で接続することも可能になっている。カメラ３とカメラ３ａとは用途や作業内容（電線付近の作業か否か）によって使い分けるようにすると良い。
【００２０】
モニタ部５は測定棒２から脱着可能になっており、作業員は、測定棒２からモニタ部５を切離して手元で操作することができるようになっている。
【００２１】
なお、測定棒２を伸ばすと風の影響を受けるので、カメラ３を測定棒２へ取り付けるためのカメラ取付台４は、ボール軸受式よりも固定式の方が好ましい。
【００２２】
測定棒２は、図２に示すように、異なる径の円柱状の中空パイプ２１で構成され、内側の小径パイプから順に引き出され、後述するピンワンタッチ止式により、所定の位置まで引き抜かれるとピン２２がバネの反発力によって外側のパイプの貫通孔２３から突出し、ピンと貫通孔２３が係合するようになっている。収納時は、作業員がこのピン２２をパイプ内部方向に押し込むようにして係合状態を解除してパイプを収納する。
【００２３】
各パイプ２１には目盛りが付されており、先端部（カメラ位置）の地上からの高さが把握可能になっている。このパイプ２１は、絶縁性と適当な撓み性とを有するグラスファイバ製とするのが好ましい。
【００２４】
なお、カメラとモニタ部とは無線で接続するようにしても良い。このようにすれば電線付近の作業でも感電のおそれがなく作業を行うことができる。
【００２５】
測定棒２の下部の足元の位置には、図３に示す折畳式レバー６が取り付けられている。このレバーを足で踏むことで屋外作業時に測定棒２を安定させ、測定棒伸縮時の横転を防止することができる。
【００２６】
点検装置１の概略構成は以上の如くであるが、次に特徴的な構成部分を図面を用いてさらに詳しく説明する。
【００２７】
（パイプ継ぎ手）
測定棒２は、複数のパイプ２１で構成されている。  図２は、複数パイプ２１の継ぎ手部分の説明図である。この図はパイプ継ぎ手部分の拡大図であり、パイプ上下の記載は省略している。
【００２８】
各パイプ２１は、少なくとも上部が開放状態の中空になっており、径が異なるパイプが内側に収納可能になっている。各パイプ２１にはバネの反発力によって突出し、作業員が押下することによって引っ込むピン２２と、内側のパイプのピン２２が突出することによって係合する貫通孔２３が設けられている。いまｉ番目のパイプを２１（ｉ）、ｉ番目のパイプに設けられたピンを２２（ｉ）、貫通孔を２３（ｉ）とすると、使用時には、作業員は、内側のパイプから順に引き出して、測定棒２を伸ばしていく。このとき、ｉ番目のパイプ２１（ｉ）の一つ内側のパイプ２１（ｉ−１）を一定の位置まで引き出すと、図２のようにパイプ２１（ｉ）の貫通孔２３(ｉ)から、内側のパイプ２１（ｉ−１）のピン２２（ｉ−１）がパイプとピンの間に設けられたバネ（図示せず）の反発力によって突出して、貫通孔２３（ｉ）と係合する。収納するときは、作業員は、ピン２２（ｉ−１）を押して、貫通孔２３（ｉ）から引っ込めた状態を維持しながらパイプ２１（ｉ−１）を下げることによってパイプ２１（ｉ）内に収納する。
【００２９】
上記の構成は、ピンの押下のみによって、パイプの連結およびその解除を行う方式であり、本実施の形態においてこの構成をピンワンタッチ止式という。
パイプの連結機構をこのピンワンタッチ止式にすることにより、作業員は、片手で測定棒２を伸縮させることができる。
【００３０】
（折畳式レバー）
次に、図３を用いて折畳式レバー６の構成を詳述する。折畳式レバー６は、測定棒２の最下部のパイプ２１と連結する台６２と、作業員が足で踏んで測定棒２を安定に直立させるための踏部（ペダル）６１、踏部６１を台６２に回転可能に連結させる連結部６３を備えている。なお、図３において、踏部６１がＡの位置にあるときを開いた状態、Ｂの位置にあるときを閉じた状態という。台６２には、踏部６１を閉じたときに踏部６１に係合する収納時固定用の突起６４が設けられている。
【００３１】
使用時には、作業員はＢの位置にある踏部６１を足等でＡの方向へ力を加えることにより突起６４の係合が解けて、踏部６１は、開いた状態（Ａの位置）になる。作業員は、踏部６１を足で踏むことによって、踏部６１と一体形成されている連結部分６１ａで台６２を抑えることになり、台６２を安定にすることができる。
【００３２】
（撮像手段取付部）
次に、図４を用いて取付部４の構成について詳述する。取付部４は、取付部本体をパイプ２１に固定するための円柱状の支軸４１、水平方向に回転可能であり、螺子４３を締めることにより支軸４１に固定される連結部４２、カメラ３を装着する上部扁平の取付台４５、取付台の垂直方向の角度（傾き角度）を調整すると共に締め付けることにより取付台４５を連結部４２に固定させる螺子４４を備えている。
【００３３】
また、取付台４５には、カメラ３をワンタッチで固定させるためのレバー４６が設けられている。レバー４６を開いた状態（図４（ｃ））でカメラ３を装着し、カメラ３の底部と取付台４５とを密着させた状態で、図４（ｂ）に示すようにレバー４６を閉じることにより、係合部４６ａがカメラ底部と係合してカメラを固定することができる。
【００３４】
作業者は、螺子４３を緩めてカメラ３の水平方向の位置を調整した後に螺子４３を締め、また、螺子４４を緩めてカメラ３の傾き角度を調整した後に螺子４４を締めて、カメラの方向を調整する。
【００３５】
次に、図５を用いて上記の構成を有する点検装置１の使用方法について説明する。なお、ここでは図５に示すクロージャ１１を点検する場合について説明するものとする。まず、作業員がクロージャ１１の高さに応じて測定棒２の突出長さを調節する。そして、モニタ部５を操作して撮影可能な状態にする。次に、作業員は測定棒２を把持してクロージャ１１に点検装置１の上端のカメラ３を接近させる。カメラ３はクロージャ１１を高い位置になるように測定棒２の高さが調整され、測定棒２をカメラ３を接近させたときに、電線１２に立て掛けて安定させる。
【００３６】
この状態で、カメラ３によりクロージャ１１の撮影が行われると、その撮像信号がモニタ部５側に送られ、撮像画像が映し出される。ここで、クロージャ１１の外周部を詳細に観察する必要が生じた場合は、モニタ部５を操作してカメラ３のズーミングや広角を行う。また、必要によりモニタ部５に表示される撮像画像をビデオテープに録画するようにしても良い。
【００３７】
点検装置１を用いて作業を行う風景を図６に、点検装置１を用いて作業を行った結果、取得したクロージャ上部の撮像画像の例を図７にそれぞれ示す。
【００３８】
次に、上述した点検装置１の機構の他の実施例を説明する。
（パイプ継ぎ手の他の実施例）
図８は他の実施例によるパイプ２１の継ぎ手部分の構成図である。パイプ２１を締め付けるための締付部材５６と螺子式のレバー５７からなる。また、図９は、締付部材５６を有するパイプ２１の収納状況を示す外形図である。内側のパイプ２１が所望の位置まで引き出されたときに、その外側のパイプ２１のレバー５７を回転させることにより、締付部材５６によって外側のパイプ２１を締め付けて内側のパイプ２１との摩擦力によって固定させる。
【００３９】
（折畳式レバーの他の実施例）
図１０は、他の実施例による折畳式レバー６の構成図である。最下端のパイプ２１に踏部（ペダル）５５を設ける。作業員はこの踏部を足で踏むことにより、測定棒２を安定させることができる。
【００４０】
（撮像手段取付部の他の実施例）
図１１は、他の実施例による取付部４の構成図である。図４との違いは、連結部４２と取付台４５の間にそれぞれバネ５２ａ、５２ｂの反発力によって支持される風船状部材５１ａが設けられていることである。この風船状部材５１ａはチューブ５３を介して作業員手元側の風船状部材（空気注入部）５１ｂと繋がっており、チューブ５３には内部の空気の流れを許可／禁止する弁５４が設けられている。なお、螺子４４は取付台４５が動く程度に締め付けられており、また、取付台４５にはカメラ３が装着されているものとする。
この構成において、作業員は、弁５４を開いた状態で手元の風船状部材５１ｂを圧縮して取付部４側の風船状部材５１ａを膨張させる。これにより取付台４５は図中Ｂの方向に回転する。作業員はモニタ部５に映し出される撮像画像を見て所望の位置で弁５４を閉じる。これにより、カメラ３の傾きを所望の位置に調整することができる。
【００４１】
傾きをＡ側に戻すときは、作業員は、弁５４を開く、これによりバネ５２ａ，５２ｂの反発力とカメラ３の重みによって風船状部材５１ａの空気が風船状部材５１ｂ側へ押し出される。これにより風船状部材５１ａの体積が減少してカメラ３をＡ側に傾けることが可能となる。
【００４２】
本実施例によれば、電気を使わずにカメラの傾きを調整することができるので、電線付近の作業を安全に行うことができる。
以上、本実施の形態によれば、光ケーブルクロージャ点検装置は次の効果を奏する。
【００４３】
測定棒をグラスファイバ製（絶縁物）にしたので、作業者は感電せず安全に点検作業をすることができる。
【００４４】
カメラ（撮像手段）は市販品も採用可能で低価格化を実現でき、録画機能により後日の確認も可能である。カメラはズーム、広角が可能であり、多角的な撮影が可能である。なお、カメラとモニタ部に無線機を取り付けることで、離れた場所でも点検・確認作業が可能になる。モニタ部は測定棒と切離しすることで、手元で操作が可能であり、ブレない。
【００４５】
また、測定棒に目盛りを付して高さを測定できるようにしたので、カメラ操作しながら、地上高測定が可能になる。測定棒の上下したあとの固定方法を締付リングではなく、ピンワンタッチ止式にすることにより、測定棒を支えながら容易に高さ固定できるようにした。
【００４６】
さらに、カメラ取付台をボール軸受式ではなく固定式にすることにより、風の影響で動くのを防止することができる。足元に折畳式レバーを取付けて足で踏むことで測定棒伸縮時の横転を防止することができる。特に、測定棒の長さや風力等により折畳式レバーを踏む圧力を変えて測定棒と地面との角度を調整して、測定棒の先端付近を電線で支えるようにすることにより簡単に安定させることができ、作業性を向上させることができる。
【００４７】
また、高所作業車を設置した作業の場合は道路通行の妨げになるため、道路通行止め等の対応をすることもあるが、本実施の形態による光ケーブルクロージャ点検装置を用いることにより、１人分のスペースが確保出来れば作業可能になるため、交通規制が不要となり通行人等の第三者に迷惑をかけることなく安全に作業を行うことができる。さらに、電柱に昇降することが不要となるため、墜落の恐れが無くなり安全に作業を実施できる。
【００４８】
次に第２の実施の形態を説明する。
本実施の形態による点検装置１は、第１の実施の形態の点検装置１に対して、測定棒と地面のなす角度を調整する傾斜角度調整手段を追加したものである。その他の構成は第１の実施の形態と同様である。
【００４９】
図１２は、傾斜角度調整手段の構成図である。傾斜角度調整手段９５は、最下端のパイプ２１と、折畳式レバー６との間に設けられている。
【００５０】
当該パイプ２１と折畳式レバー６とを水平方向に貫通する軸８５を中心として回転する歯車８３を有する。一方、歯車８３と嵌合する歯を有し、図１２の左右方向に移動可能な台座９３が、バネ９１，９２を介して折畳式レバー６の台６２に取り付けられている。なお、バネ９１は台６２の内側壁面に取り付けられ、バネ９２は折畳式レバー６の台６２に固着された支柱９４に取り付けられている。
【００５１】
パイプ２１の表面には、作業員が操作しやすい高さにゴム製の円盤８２ａを有するハンドル８２がパイプ２１の表面に固着された軸８２ｂを介して取り付けられており、作業員がハンドル８２を回すことにより円盤８２ａが軸８２ｂを中心に回転するようになっている。
【００５２】
また、歯車８３には、その外側にゴム製の円盤８４が軸８５を中心に固着されており、この円盤８４とハンドル８２側の円盤８２ａとの間にはベルト８０が掛けられている。
【００５３】
傾斜角度調整手段９５は、上述した台座側の機構９１〜９４、歯車側の機構８３〜８５、ハンドル側の機構８２，８２ａ，８２ｂ、およびベルト８０から構成される。
以下、傾斜角度調整手段９５の作用を説明する。
非作業時は、台座９３は、バネ９１，９２の弾性力が均衡状態にある位置にあり、その位置でパイプ２１が台に対して垂直になるように歯車８３と台座９３が係合するように予め調整されているものとする。
【００５４】
作業時には、作業員は測定対象のクロージャ１１の下、電線１２から少し離れた位置に点検装置１を置き、踏部６１を開いて足で踏むことによって台６２が動かないように安定させる。
【００５５】
そして、カメラ３または無線式カメラ３ａがクロージャ１１の上部の撮影に適当な高さになるまで測定棒２を伸ばしていく。このとき、グラスファイバ製の測定棒２は、ある程度撓るが測定棒２が垂直の場合は、その撓り方向が一定にならず、また少しの風でも撓り方向が変わる場合もある。このような場合、作業員は、ハンドル８２を回して、測定棒２の傾きを変えることによって、風があっても傾き方向を一定にする。
【００５６】
以下、この作用を詳述すると、作業者が測定棒２が電線１２側の方向に傾くようにハンドル８２を回すことによって、回転盤８２ａが回り、ベルト８０を介して回転盤８４および歯車８３が回転する。これによって、歯車８３が係合する台座９３が図中、右または左に移動する。なお、作業性を良くするためには、作業員の前方上空に電線が位置し、その間に点検装置１を置いて、測定棒２が作業員と離反する方向に傾くようにハンドル８２を回す。なお、ハンドル８２の回転角度（もしくは回転数）と台座９３の移動距離は作業員が傾きを調整しやすいように円盤８２ａと円盤８４の半径比を決めておくのが好ましい。
【００５７】
なお、測定棒２の高さによって、撓りが違うので、その撓りの角度に応じてハンドル８２を操作して適宜傾きが風等によって不安定にならない角度に調整しながら測定棒２を伸ばしていく。
【００５８】
そして、測定棒２の高さが電線１２を超えたときに、測定棒２はその撓りによって傾が大きな状態になっているが、この状態で、作業員は踏部６１を足で踏んだまま前方にずらすことによって、測定棒２を電線１２に立て掛けるようにする。このようにすれば、折畳式レバー６側と電線１２側の２箇所で測定棒２を支えて安定化させることができる。
【００５９】
以上、本実施の形態によれば、第１の実施の形態の効果に加え、測定棒をグラスファイバ製にすることによって、金属製（たとえば鉄製）と比較して撓みが大きくなることによる作業性の低下を改善し、安全かつ効率的に作業を進めることができる。また、傾斜角度調整手段９５のないグラスグラスファイバ製の点検装置１と比較しても、この傾斜角度調整手段９５を設けることにより測定棒２のパイプをさらに細くすることも可能になる。
【符号の説明】
【００６０】
１  光ケーブルクロージャ点検装置
２    測定棒
３  カメラ
３ａ無線式カメラ
４  取付部（カメラ取付台）
５  モニタ部
６  折畳式レバー
７  ケーブル
１１  光ケーブルクロージャ
１２  電線
２１  パイプ
２２  ピン
２３  貫通孔
４１  支軸
４２  連結部
４３，４４  螺子
４５  取付台
４６  レバー
４６ａ係合部
６１  踏部
６１ａ連結部分
６２  台
６３  連結部
６４  突起
８０  ベルト
８２  ハンドル
８２ａ，８４  円盤（回転盤）
８２ｂ，８５  軸
８３  歯車
９１，９２  バネ
９３  台座
９４  支柱
９５  傾斜角度調整手段
【図１】
2011107479.tif 000003
【図２】
2011107479.tif 000004
【図３】
2011107479.tif 000005
【図４】
2011107479.tif 000006
【図５】
2011107479.tif 000007
【図８】
2011107479.tif 000008
【図９】
2011107479.tif 000009
【図１０】
2011107479.tif 000010
【図１１】
2011107479.tif 000011
【図１２】
2011107479.tif 000012
【図６】
2011107479.tif 000013
【図７】
2011107479.tif 000014